(57)【要約】【課題】  正確に血圧情報を測定することができるカフを提供する。【解決手段】  カフ１０は、本体と、本体の第１の部位に設けられる第１及び第２の保持部と、本体の第１の部位と異なる第２の部位に設けられる第３の保持部と、第３の保持部にて可動するように第３の保持部を介して第１の保持部と第２の保持部との間を接続することにより、本体を被測定部位に締付けるように設けられる締付部材とを有する。【選択図】      図１
2015217099.tif 000002
【特許請求の範囲】
【請求項１】
本体と、
前記本体の第１の部位に設けられる第１及び第２の保持部と、
前記本体の前記第１の部位と異なる第２の部位に設けられる第３の保持部と、
前記第３の保持部にて可動するように前記第３の保持部を介して前記第１の保持部と第２の保持部との間を接続することにより、前記本体を被測定部位に締付けるように設けられる締付部材とを有する、カフ。
【請求項２】
前記第１又は第２の保持部の少なくとも一方に、前記締付部材による締付程度を調整可能な締付調整部が設けられている、請求項１に記載のカフ。
【請求項３】
前記第３の保持部に、前記締付部材による締付程度を調整する締付調整部が設けられている、請求項１に記載のカフ。
【請求項４】
複数の前記第３の保持部を有し、
前記複数の第３の保持部の少なくとも２つは、前記本体が前記被測定部位に巻き付けられた場合に前記被測定部位が沿在する方向に沿って離間して設けられている、請求項１から３のいずれか一項に記載のカフ。
【請求項５】
前記複数の第３の保持部の少なくとも１つは、前記本体が前記被測定部位に巻き付けられた場合に前記第１の保持部と対向する位置に設けられており、
前記少なくとも１つの複数の第３の保持部とは異なる少なくとも１つの前記第３の保持部は、前記本体が前記被測定部位に巻き付けられた場合に前記第２の保持部と対向する位置に設けられている、請求項４に記載のカフ。
【請求項６】
前記第１の部位に、少なくとも１つの第４の保持部を有し、
前記第４の保持部は、前記本体が前記被測定部位に巻き付けられた場合に前記被測定部位が沿在する方向に対して前記第１の保持部と前記第２の保持部との間に設けられている、請求項１から５のいずれか一項に記載のカフ。
【請求項７】
前記第４の保持部の少なくとも１つは、前記本体が前記被測定部位に巻き付けられた場合に前記第３の保持部の１つと対向する位置に設けられている、請求項６に記載のカフ。
【請求項８】
前記第１ないし第４の保持部の少なくとも１つは、前記本体が前記被測定部位に巻き付けられた場合に前記被測定部位が沿在する方向と交わる方向に沿って隣接して複数設けられている、請求項１から７のいずれか一項に記載のカフ。
【請求項９】
前記締付調整部は、前記締付程度を調整可能なダイヤルを含む、請求項２から８のいずれか一項に記載のカフ。
【請求項１０】
請求項１から９のいずれか一項に記載のカフを有する、血圧測定装置。
【発明の詳細な説明】
【技術分野】
【０００１】
本発明は、カフ及び血圧測定装置に関する。
【背景技術】
【０００２】
血圧情報（血圧を表す情報）は、人間の健康状態を把握する際に重要である。血圧情報は、収縮期血圧（最高血圧、又はＳｙｓｔｏｌｉｃ  ｂｌｏｏｄ  ｐｒｅｓｓｕｒｅとも呼ぶ）や拡張期血圧（最低血圧、又はＤｉａｓｔｏｌｉｃ  ｂｌｏｏｄ  ｐｒｅｓｓｕｒｅとも呼ぶ）を含む。近年においては、脳卒中、心不全又は心筋梗塞等の心血管系疾患のリスク解析に資する指標として、収縮期血圧や、拡張期血圧等を測定することが行われている。
【０００３】
血圧情報の測定においては、一例として血圧測定用のカフが利用される。カフは、内空部を有する膨縮袋を含む帯状または環状の構造を有し、生体の一部に装着が可能である。血圧測定装置は、カフの内空部に気体や液体等の作動体を注入又は排出することによって、膨縮袋を膨張又は収縮させる。膨縮袋を膨張又は収縮させることによって、血圧測定装置は、動脈への圧迫圧力を変化させる。そして、血圧測定装置は、動脈への圧迫圧力を変化させることにより血圧情報を測定する。この場合において、血圧情報を正確に測定するためには、カフが被測定部位を均一又は略均一に圧迫することが必要となる。
【０００４】
特許文献１及び特許文献２には、表面に面ファスナが設けられている帯状の外カバーと、流体袋としての空気袋を含む血圧測定用のカフが記載されている。
【０００５】
特許文献３には、可撓性腕帯を締め付ける締付機構と、締め付けられた可撓性腕帯の締付位置を保持するための保持機構を有する血圧計用腕帯が記載されている。特許文献３に記載の血圧計用腕帯において、締付機構は、締付用ベルトに形成されたラックと、ピニオンギアとを備える。また、特許文献３に記載の血圧計用腕帯において、保持機構は、締付用ベルトの長手方向の複数箇所に形成された保持用孔と、この保持用孔に係入する保持用ピンとを備える。
【０００６】
特許文献４には、空気袋と、コアと、締付ベルトを有する締付手段とを備え、締付ベルトの連結部が、締付手段の基台に対して回動可能に基台と連結される生体圧迫装置が記載されている。
【０００７】
特許文献５には、弾性を備えた渦巻形状の帯体をなすバッキング材と、その内側の全周に配置されている空気袋とを有する電子血圧計が記載されている。特許文献５に記載の電子血圧計は、空気袋を上腕に密着させるために、ワイヤーがバッキング材の外周に巻き付けられている腕帯部を含む。また、特許文献５に記載の腕帯部は、ワイヤーの一端がバッキング材の外側端部に固定されており、かつ、ワイヤーの他端が自動巻き取り部に接続されて構成され、ワイヤーは、空気袋の外周方向に対して、複数周巻き付けて配置されている。
【０００８】
特許文献６には、長手方向における太さが異なる上腕に対しても、巻きつけ強さを腕帯の幅方向において均一にできる血圧測定用腕帯巻付装置が記載されている。
【先行技術文献】
【特許文献】
【０００９】
【特許文献１】実公平１−３０１６３号公報
【特許文献２】特開２００３−１２６０５０号公報
【特許文献３】特開２００７−２６０２９３号公報
【特許文献４】特開２０１０−８８５０７号公報
【特許文献５】特開２０１１−１９７２１号公報
【特許文献６】特開平１０−３１４１２３号公報
【発明の概要】
【発明が解決しようとする課題】
【００１０】
特許文献１から４までの各々に記載されたカフは、被測定者毎に異なる被測定部位の形状に適合させるのは困難である。また、特許文献５及び６に記載されたカフは、被測定者が動くことにより、被測定部位の形状が変化した場合に、その変化に追随することが困難である。そのため、これらのカフは、被測定部位を均一又は略均一に圧迫することができない場合がある。
【００１１】
すなわち、先行技術文献に記載のカフは、正確な血圧情報を測定できない場合があるという課題がある。
【００１２】
本発明は、上記課題を解決するためになされたものであって、正確に血圧情報を測定することができるカフ及び血圧測定装置を提供することを目的とする。
【課題を解決するための手段】
【００１３】
本発明の一態様におけるカフは、本体と、本体の第１の部位に設けられる第１及び第２の保持部と、本体の第１の部位と異なる第２の部位に設けられる第３の保持部と、第３の保持部にて可動するように第３の保持部を介して第１の保持部と第２の保持部との間を接続することにより、本体を被測定部位に締付けるように設けられる締付部材とを有する。
【００１４】
また、本発明の血圧測定装置は、上述したカフを有する。
【発明の効果】
【００１５】
本発明によると、正確に血圧情報を測定することができるカフ及び血圧測定装置を提供することができる。
【図面の簡単な説明】
【００１６】
【図１】本発明の第１の実施形態におけるカフの構成を示す図である。
【図２】本発明の第１の実施形態におけるカフを展開した場合のカフの構成を示す図である。
【図３】本発明の第１の実施形態におけるカフの断面図である。
【図４】本発明の第１の実施形態における力の状態を表す図である。
【図５】本発明の第１の実施形態における力の関係を表す図である。
【図６】本発明の第１の実施形態における締付力の関係を表す図である。
【図７】本発明の第１の実施形態におけるカフを被測定部位に巻き付けた状態を示す図である。
【図８】本発明の第２の実施形態におけるカフの構成を示す斜視図である。
【図９】本発明の第２の実施形態におけるカフの締付調整部の例を示す図である。
【図１０】本発明の第２の実施形態の変形例におけるカフの構成を示すブロック図である。
【図１１】本発明の第２の実施形態におけるカフの変形例の構成を示す図である。
【図１２】本発明の第２の実施形態におけるカフの変形例の構成を示す図である。
【図１３】本発明の第２の実施形態におけるカフの変形例の構成を示す図である。
【図１４】本発明の第３の実施形態におけるカフの構成を示す図である。
【図１５】本発明の第３の実施形態におけるカフの変形例の構成を示す図である。
【図１６】本発明の第３の実施形態におけるカフの変形例の構成を示す図である。
【図１７】本発明の第４の実施形態における血圧測定装置の構成を示すブロック図である。
【図１８】本発明の第４の実施形態における血圧測定装置の変形例の構成を示すブロック図である。
【発明を実施するための形態】
【００１７】
（第１の実施形態）
本発明の各実施形態について、添付の図面を参照して説明する。まず、本発明の第１の実施形態について説明する。図１は、本発明の第１の実施形態におけるカフの構成を示す図である。図２は、本発明の第１の実施形態におけるカフを展開した場合のカフの構成を示す図である。図３は、本発明の第１の実施形態におけるカフの断面図である。特に、図３（Ａ）は、本発明の第１の実施形態におけるカフを、被測定部位に巻き付けられた際に、その被測定部位が沿在する方向（同図の前後方向）からの視点による断面図である。また、図３（Ｂ）は、被測定部位に巻き付けられた際に、その被測定部位が沿在する方向（同図の左右方向）と交わる方向からの視点による断面図である。図４は、本発明の第１の実施形態における力の状態を表す図である。図５は、本発明の第１の実施形態における力の関係を表す図である。図６は、本発明の第１の実施形態における締付力の関係を表す図である。図７は、本発明の第１の実施形態におけるカフを被測定部位に巻き付けた状態を示す図である。
【００１８】
図１から図３の各図面に示すとおり、本発明の第１の実施形態におけるカフ１０は、本体１００と、第１の保持部１１０と、第２の保持部１２０と、第３の保持部１３０と、締付部材１０３とを有する。そして、第１の保持部１１０及び第２の保持部１２０は、本体１００の第１の部位１０１に設けられる。第３の保持部１３０は、本体１００の第１の部位１０１と異なる第２の部位１０２に設けられる。更に、締付部材１０３は、第３の保持部１３０を介して第１の保持部１１０と第２の保持部１２０との間を接続することにより、本体１００を被測定部位に締付けるように設けられる。
【００１９】
本体１００は、例えば可撓性を有するシート状の部材である。本体１００は、血圧情報を測定する場合に、生体の被測定部位（上腕や手首、足首等）に巻き付けられる。すなわち、本体１００は、被測定部位に巻き付けられた場合に、例えば筒状に丸めた状態となる。そのため、本体１００は、被測定部位の形状に適合する、すなわち被測定部位に巻き付けた場合に被測定部位の形状に応じてその径を変化できるように構成されることができる。例えば、本体１００は、例えば樹脂又は布のような柔軟な素材で形成されることができる。
【００２０】
また、本体１００は、矩形形状に形成されることでき、例えば長方形状とすることができる。ただし、本体１００の形状はこれに限られない。本体１００は、被測定部位に巻き付けることができ、かつ被測定部位の形状に適合できる任意の形状とすることができる。
【００２１】
更に、本体１００は、生体の被測定部位に巻き付けられた際に被測定部位が沿在する方向の剛性が、当該被測定部位が沿在する方向と交わる方向の剛性よりも高くすることができる。なお、図１及び図２に示すように、被測定部位が沿在する方向は、本体１００を矩形状に形成した場合に一般に短辺が沿在する方向となり、以降「第１の方向」と呼ぶ。また、被測定部位が沿在する方向と交わる方向は、本体１００を矩形状に形成した場合に一般に長辺が沿在する方向となり、以降「第２の方向」と呼ぶ。
【００２２】
第１の保持部１１０、第２の保持部１２０、第３の保持部１３０及び締付部材１４０は、血圧情報を測定する場合に本体１００を被測定部位に巻き付けて締付けるために用いられる。
【００２３】
第１の保持部１１０及び第２の保持部１２０は、本体１００の第１の部位１０１に設けられる。第１の部位１０１は、例えば本体１００の第１の方向における一つの端部から所定の領域とすることができる。第１の部位１０１は、例えば本体１００の第１の方向における一つの端部から１０ｃｍ（センチメートル）以内の領域とすることができる。第１の保持部及び第２の保持部１２０は、後述する締付力の均一化との関係で、本体１００の第１の方向に沿って設けられることができる。また、第１の保持部及び第２の保持部１２０は、本体１００の第２の方向に対して端部から５ｃｍ以内の領域に設けられることができる。
【００２４】
第３の保持部１３０は、本体１００の第１の部位１０１と異なる第２の部位１０２に設けられる。第２の部位１０２は、例えば本体１００の第１の方向における他の端部から所定の領域とすることができる。例えば、第２の部位１０２は、例えば本体１００の第１の方向における一つの端部から１０ｃｍ以内の領域とすることができる。
【００２５】
なお、第１の部位１１０、第２の保持部１２０及び第３の保持部１３０（以降、まとめて説明する場合に「各保持部」と呼ぶ場合がある）は例えば以下のような構成を有する。各保持部は、本体１００からの高さを５ｍｍ（ミリメートル）以下とすることができる。また、各保持部は、凸部、凹部又は空洞部を有することができる。
【００２６】
各保持部は、剛性が高い、すなわち弾性率が高い材料にて形成されることができる。例えば、各保持部は、ヤング率が１以上の材料にて形成されることができる。一例として、各保持部は、高密度ポリエチレン、ポリプロピレン、ナイロン、ポリカーボネート、ポリエチレンテレフタラート、又はポリスチレンにて形成される。しかしながら、各保持部は、ほかの材料にて形成されてもよい。
【００２７】
締付部材１０３は、例えば一連のケーブルにて形成される。締付部材１０３は、本体１００を被測定部位に巻き付けた場合に、第３の部位１３０を介して第１の保持部１１０と第２の保持部１２０との間を接続する態様で本体１００を被測定部位に締付ける。この場合において、締付部材１０３は、第３の部位１３０において固定されず、第３の部位１３０に対して可動する形態にて第３の部位１３０に接続される。締付部材１０３は、本体１００を被測定部位に締付けた状態を維持することができる強度を有する任意の形状及び材料にて形成される。
【００２８】
なお、締付部材１０３は、具体的には以下のように形成される。締付部材１０３の材料は、弾性の生じにくい材料、すなわち弾性率が高い材料とすることができる。一例として、締付部材１０３の材料は、ヤング率が１以上の材料とすることができる。具体的には、締付部材１０３は、高密度ポリエチレン、ポリプロピレン、ナイロン、ポリカーボネート、ポリエチレンテレフタラート、又はポリスチレンにて形成される。しかしながら、締付部材１０３は、その他の材料で形成されてもよい。また、締付部材１０３は、紐状又は帯状であってもよい。締付部材１０３は、これ以外の形状でもよい。本実施形態における各図面では、締付部材１０３は、紐状にて形成されている。
【００２９】
また、一例として、締付部材１０３は、その先端部を例えば熱溶着により円形に成形し、各保持部に形成された凸部に差し込み固定することで、各保持部に固定される。別の例として、締付部材１０３は、各保持部の凸部に締付部材１０３を結びつけることにより、各保持部に固定される。更に別の例として、締付部材１０３は、接着剤等で接着することにより各保持部に固定される。
【００３０】
続いて、本実施形態のカフ１０を被測定部位に巻き付けた場合の締付動作を説明する。なお、以下の説明では、本体１００は、被測定部位に巻き付けられた場合に、断面が円形である筒状に丸められていると仮定する。
【００３１】
締付部材１０３は、本体１００を被測定部位に締付けるために、第３の保持部１３０にて可動するように第３の保持部１３０を介して第１の保持部１１０と第２の保持部１２０との間を接続する。このようにすることで、締付部材１０３は本体１００を被測定部位に締付ける。そして、締付部材１０３は、本体１００が被測定部位に巻き付けられた状態を保持する。この場合に、締付部材１０３には、締付けるための力が加えられる。締付部材１０３の第１の保持部１１０と第３の保持部１３０との間の部分に加えられる力をＦＡとする。また、締付部材１０３の第２の保持部１２０と第３の保持部１３０との間の部分に加えられる力をＦＢとする。
【００３２】
締付部材１０３にＦＡ及びＦＢが加えられると、図４及び図５に示すように、筒状に丸められた本体１００の周方向にトルクが発生する。また、筒状に丸められた本体１００の内側（カフ１０を被測定部位に巻き付けた場合に被測定部位が存在する側）に締付力が発生する。  この場合において、締付部材１０３は、第３の保持部１３０にて可動する構成である。そのため、締付部材１０３のＦＡが加えられる部位に発生するトルクと、締付部材１０３のＦＢが加えられる部位に発生するトルクとは、本体１００の形状に応じて、均一又は略均一になるように連動する。その結果、締付部材１０３のＦＡが加えられる部位に発生する締付力と締付部材１０３のＦＢが加えられる部位に発生する締付力は、均一又は略均一になるように調整される。
【００３３】
図５を用いて、締付部材１０３に発生する力と、トルクと、締付力との関係をより詳細に説明する。まず、締付部材１０３のＦＡが加えられる部位に発生するトルクをＮＡとする。締付部材１０３のＦＢが加えられる部位に発生するトルクをＮＢとする。また、締付部材１０３のＦＡが加えられる部位に発生する締付力をＰＡとする。そして、締付部材１０３のＦＢが加えられる部位に発生する締付力をＰＢとする。ＦＡが加えられる部位の半径をｒＡ、ＦＢが加えられる部位の半径をｒＢとする。
【００３４】
このように表した場合において、ＮＡおよびＮＢは、ｒＡおよびｒＢ、ＦＡおよびＦＢを用いて、
ＮＡ＝ｒＡ×ＦＡ・・・（１）、
ＮＢ＝ｒＢ×ＦＢ・・・（２）、
と表すことができる。本体１００は、筒状に丸められたが、被測定部位の形状に適合していない（丸められた本体１００の径が被測定部位の径に合っていない）状態においては、以下のような関係であるものとする。
【００３５】
ｒＡ≒ｒＢ・・・（３）、
また、本体１００は、締付部材１０３により被測定部位に締付けられ、その形状が被測定部位の形状に適合した状態においては、次の関係になるものとする。
【００３６】
ｒＡ＞ｒＢ・・・（４）、
続いて、図６を用いて、本体１００が被測定部位に巻き付けられ、締付部材１０３により締付けられていく過程におけるトルク及び締付力の状態の例について説明する。図６において、横軸は、本体１００が被測定部位に巻き付けられた場合の締付の状態を表す締付位置を示す。また、縦軸は、締付力を示し、図中の上側に向かって締付力が大きくなることを示す。
（ａ）本体１００が、上流側にて被測定部位の形状に適合した直後であり、下流側においては被測定部位の形状に適合していない状態（図６の締付位置Ａの状態）の場合：
ｒＡ及びｒＢは（３）式の状態であり、かつＦＡ及びＦＢはほぼ等しい状態である。そのため、トルク及び締付力はそれぞれ次のようになる。
【００３７】
ＮＡ≒ＮＢ・・・（５）、
ＰＡ＞ＰＢ＝０・・・（６）、
（ｂ）本体１００が、上流側にて被測定部位の形状に適合し、下流側にて被測定部位の形状に適合した直後の状態（図６の締付位置Ｂの状態）の場合：
ｒＡ及びｒＢは式４の状態となり、ＮＡとＮＢとが締付部材１０３を介して連動し始める。そのため、トルクは次のような関係となる。
【００３８】
ＮＡ＜ＮＢ・・・（７）、
一方、本体１００の下流側は、被測定部位の形状に適合した直後であることから、締付力は均一又は略均一ではない。そのため、締付力は次のような関係となる。
【００３９】
ＰＡ＞ＰＢ＞０・・・（８）、
（ｃ）本体１００が、上流側及び下流側の双方にて被測定部位の形状に適合した状態（図６の締付位置Ｃの状態）の場合：
ＮＡとＮＢとが連動する。そのため、トルクは次のような関係になる。
【００４０】
ＮＡ＜ＮＢ・・・（式９）、
これより、締付力は次のような関係となる。
【００４１】
ＰＡ≒ＰＢ・・・（式１０）、
すなわち、本体１００が被測定部位の形状に適合すると、締付力ＰＡ及びＰＢが均一又は略均一な状態に近づいていく。そのため、本体１００は、その全体に渡って均一又は略均一な締付力により被測定部位に巻き付けられる。また、被測定部位が複雑な形状な場合においても、本体１００は、上述したトルク及び締付力の関係により、均一又は略均一な締付力により被測定部位に巻き付けられる。
【００４２】
このように、本実施形態におけるカフ１０によると、被測定部位に巻き付けられる場合に、締付部材１０３に生じるトルクが連動する。そのため、本実施形態におけるカフ１０によると、被測定部位に巻き付けられる場合に、締付部材１０３に生じる締付力が均一又は略均一になる。したがって、本実施形態におけるカフ１０は、多様な被測定部位の形状に適合することができる。例えば、図７（Ａ）に示すように、被測定部位が細身である場合や、図７（Ｂ）に示すように、被測定部位が筋肉質である場合等についても、本実施形態におけるカフ１０は、被測定部位に適合することができる。
【００４３】
また、被測定部位が動いた場合においても、上述したように、締付部材１０３に生じるトルク及び締付力は、その動きに応じて連動する。すなわち、被測定部位の動きに合わせて、締付力ＰＡ及びＰＢが均一又は略均一な状態に近づいていく。そのため、本実施形態におけるカフ１０は、動いた場合にも締付力が均一又は略均一である状態を維持することができる。
【００４４】
以上の通り、締付部材１０３は、第３の保持部１３０にて可動するように第３の保持部１３０を介して第１の保持部１１０と第２の保持部１２０との間を接続することにより、本体１００を被測定部位に締付けるように設けられる。そのため、本実施形態におけるカフ１０は、第１の保持部１１０、第２の保持部１２０、第３の保持部１３０及び締付部材１０３により被測定部位を締付ける場合に、締付により生じるトルクを連動することができる。これにより、本実施形態におけるカフ１０は、被測定部位の形状に適合した締付状態を維持することができる。すなわち、本実施形態におけるカフ１０は、均一又は略均一に被測定部位を圧迫することができる。したがって、本実施形態におけるカフ１０を用いることにより、正確に血圧情報を測定することができる。
（第２の実施形態）
次に、本発明の第２の実施形態について説明する。図８は、本発明の第２の実施形態におけるカフの構成を示す図である。図９は、本発明の第２の実施形態におけるカフの締付調整部の例を示す図である。図１０は、本発明の第２の実施形態の変形例におけるカフの構成を示すブロック図である。図１１は、本発明の第２の実施形態におけるカフの変形例の構成を示す図である。図１２は、本発明の第２の実施形態におけるカフの変形例の構成を示す図である。図１３は、本発明の第２の実施形態におけるカフの変形例の構成を示す図である。各図面において、第１の実施形態におけるカフと同様の構成には同一の符号が付されている。
【００４５】
図８に示すとおり、本発明の第２の実施形態におけるカフ２０は、本体１００と、第１の保持部１１０と、第２の保持部１２０と、第３の保持部１３０と、締付部材１０３と、締付調整部１０４とを有する。第１の保持部１１０及び第２の保持部１２０は、本体１００の第１の部位１０１に設けられる。第３の保持部１３０は、本体１００の第１の部位１０１と異なる第２の部位１０２に設けられる。締付部材１０３は、第３の部位１３０を介して第１の保持部１１０と第２の保持部１２０との間を接続することにより、本体１００を被測定部位に締付けるように設けられる。そして、締付調整部１０４は、第１の保持部１１０又は第２の保持部１２０の少なくとも一方に設けられ、締付部材１０３による締付程度を調整する。
【００４６】
すなわち、本発明の第２の実施形態におけるカフ２０は、締付調整部１０４を有する点が第１の実施形態におけるカフ１０と異なる。これ以外の要素については、第２の実施形態におけるカフ２０は第１の実施形態におけるカフ１０と同様の構成を有している。
【００４７】
締付調整部１０４は、本体１００を被測定部位に巻き付けて締付ける場合に、締付部材１０３による締付の程度を調整する。締付調整部１０４を設けることにより、様々な被測定部位の径に対しても、カフ２０は、適切な締付力で被測定部位に巻き付けられることが可能となる。
【００４８】
締付調整部１０４は、具体的には種々の構成を採用することができる。図９に例示する通り、例えば、図９（Ａ）に示す回転方式、図９（Ｂ）に示すスライド方式、又は図９（Ｃ）に示す引張方式のような構成とすることができる。
【００４９】
一例として、図９（Ａ）に示す回転方式では、締付調整部１０４は、第１の保持部１１０又は第２の保持部１２０の少なくとも一方に、ダイヤル１５０を設ける構成とすることができる。この場合において、締付調整部１０４は、ダイヤル１５０を回転することにより、締付部材１０３による本体１００の締付程度を調整できる。例えば、締付調整部１０４は、ダイヤル１５０を押し付け、一定の方向に回転することによって締付程度を強くする構成とすることができる。また、締付調整部１０４は、ダイヤル１５０を引くことにより締付程度を非固定状態とする構成とすることができる。締付調整部１０４は、締付程度を非固定状態とすることで、締付程度を弱くすることができる。
【００５０】
別の例として、図９（Ｂ）に示すスライド方式では、締付調整部１０４は、スライド機構１６０を動かすことで、締付部材１０３による本体１００の締付程度を調整する構成とすることができる。この場合において、締付調整部１０４は、スライド機構１６０を下側に動かすことで締付程度を強くする構成とすることができる。また、締付調整部１０４は、スライド機構１６０を上側に動かすことで締付程度を弱くする構成とすることができる。更に、締付調整部１０４は、スライド機構１６０を押し込むことにより締付程度を固定状態とし、引くことにより締付程度を非固定状態とする構成とすることができる。
【００５１】
更に別の例として、図９（Ｃ）に示す引張方式の構成の一例では、締付調整部１０４は、固定部１７０および引張部１７１を動作させることにより、締付部材１０３による本体１００の締付程度を調整する構成とすることができる。この場合において、締付調整部１０４は、引張部１７１を引くことにより、締付程度を強くすることができる。また、締付調整部１０４は、固定部１７０により、締付程度を固定状態とすることができる。更に、締付調整部１０４は、固定部１７０により、締付程度を非固定状態とすることで、締付程度を弱くすることができる。
【００５２】
なお、締付調整部１０４の具体的な構成は、上述したものに限られない。すなわち、締付調整部１０４は、締付部材１０３による本体１００の締付程度を調整できるのであれば、任意の構成とすることができる。また、締付調整部１０４は、締付力が均一又は略均一となる状態からは、締付程度を弱める方向への調整のみが可能となり、更に締付程度を強くする方向への調整を行えないようにする構成とすることができる。
【００５３】
以上の通り、本実施形態におけるカフ２０は、第１の保持部１１０又は第２の保持部１２０の少なくとも一方に締付調整部１０４が設けられている。そして、締付調整部１０４により締付部材１０３による本体１００の締付程度を調整されることから、カフ２０を被測定部位に巻き付ける際に、被測定部位の形状に適した締付程度とすることができる。そのため、本実施形態におけるカフ２０は、第１の実施形態におけるカフ１０と比較すると、より多くの形状に被測定部位において、均一又は略均一に被測定部位を圧迫することができる。したがって、本実施形態におけるカフ２０を用いることにより、より正確に血圧情報を測定することができる。
（第２の実施形態の変形例）
本実施形態におけるカフ２０に対しては、種々の変形を施すことが可能である。いくつかの変形例について以下に説明する。
【００５４】
まず、締付調整部１０４は、締付部材１０３による本体１００の締付程度を表すメモリを有する構成とすることができる。締付調整部１０４は、このメモリを参照することにより、カフ２０を被測定部位に巻き付け直した場合に、それ以前の締付程度を再現することができる。
【００５５】
カフ２０は、締付部材１０３による本体１００の締付程度を検知するセンサ（締付検知部）１８０を更に有する構成とすることができる。センサ１８０は、例えば本体１００の締付力が均一又は略均一となるような締付程度であるかを検知する。センサ１８０は、例えば本体１００の生体に対向する面（筒状に丸められて被測定部位に取り付けられた際に内側となる面）に設けることができ、その数も問わない。また、センサ１８０の種類として、圧力センサ又は接触センサなどを用いることができる。なお、センサ１８０は、これらに限られない。センサ１８０は、締付部材１０３による本体１００の締付程度を検知できれば任意の種類のセンサでよい。
【００５６】
また、カフ２０は、図１０に示すように、センサ１８０で検知した情報に基づいて、締付調整部１０４を制御する締付制御部１９０をさらに有する構成とすることができる。締付制御部１９０は、締付力が均一又は略均一となるように締付部材１０３による本体１００の締付程度となるように調整する。締付制御部１９０は、一例として、制御部１９１及びアクチュエータ部１９２を含む構成とすることができる。
【００５７】
締付制御部１９０は、センサ１８０で検知した情報に基づいて、制御部１９１によってアクチュエータ部１９２を制御し、締付調整部１０４を操作することで本体１００による締付程度を調整する。この場合において、制御部１９１は、センサ１８０で検知した情報から、本体１００の締付力が均一又は略均一となる締付程度であると判断したには、アクチュエータ部１９２を停止させるよう制御することができる。また、締付制御部１９０は、締付部材１０３による本体１００の締付力が均一又は略均一となる締付程度に調整した後に、被測定部位が動くなどによって締付程度が変化した場合に、再度締付程度を調整する構成とすることもできる。
【００５８】
図１１は、本実施形態におけるカフ２０の別の変形例である。図１１によると、本変形例におけるカフ２０は、それぞれ複数の第２の保持部１２０Ａから１２０Ｃ及び第３の保持部１３０Ａから１３０Ｃを有する。本変形例において、複数の第２の保持部１２０ＡからＣ及び第３の保持部１３０ＡからＣの各々は、それぞれ本体１００の第２の方向に沿って隣接して設けられている。
【００５９】
本変形例において、本体１００を被測定部位に巻き付けて締付ける際に、締付部材１０３は、複数の第２の保持部１２０ＡからＣ及び第３の保持部１３０ＡからＣの各々のいずれかに接続される。締付部材１０３が各保持部のいずれに接続するかは、被測定部位の形状（例えば径の大きさ）に応じて適宜選択することができる。このような構成とすることで、本変形例におけるカフ２０は、より多様な被測定部位の形状に適合することができる。そのため、本変形例におけるカフ２０は、被測定部位を均一又は略均一に締付けることができる。したがって、本変形例におけるカフ２０を用いることにより、正確に血圧情報を測定することができる。
【００６０】
なお、本変形例におけるカフ２０は、複数の第２及び第３の保持部を有するとした。しかしながら、本変形例におけるカフ２０は、第２及び第３の保持部のいずれか一方が複数である構成としてもよい。また、本変形例におけるカフ２０は、複数の第１の保持部を有する構成としてもよい。いずれの構成においても、本変形例におけるカフ２０は、上記説明した作用及び効果を奏する。
【００６１】
図１２は、本実施形態におけるカフ２０の別の変形例である。図１２によると、本変形例におけるカフ２０は、複数の第３の保持部を更に有し、複数の第３の保持部は、第１の方向に沿って離間して設けられる。図１２に示すカフ２０は、複数の第３の保持部として、第３の保持部１３０及び第３の保持部１３１を有する。締付部材１０３は、第３の保持部１３０及び第３の保持部１３１を順に介して第１の保持部１１０と第２の保持部１２０との間を接続する。また、締付部材１０３は、第３の保持部１３０及び第３の保持部１３１の各々にて可動するように第１の保持部１１０と第２の保持部１２０との間を接続する。
【００６２】
なお、第３の保持部１３０は、カフ２０を被測定部位に締付けた場合に、第１の保持部１１０と対向する位置に設けられることができる。また、第３の保持部１３１は、カフ２０を被測定部位に締付けた場合に、第２の保持部１２０と対向する位置に設けられることができる。
【００６３】
すなわち、第１の保持部１１０及び第３の保持部１３０は、カフ２０を被測定部位に締付けた場合に、第１の保持部１１０と第３の保持部１３０との間で締付部材１０３が第２の方向に沿うように配置されることができる。また、第２の保持部１２０及び第３の保持部１３１は、カフ２０を被測定部位に締付けた場合に、第２の保持部１２０と第３の保持部１３１との間で締付部材１０３が第２の方向に沿うように配置されることができる。
【００６４】
このように、より多くの保持部を設ける構成とすることで、本変形例におけるカフ２０は、より多様な被測定部位の形状に適合することができる。そのため、本変形例におけるカフ２０は、被測定部位を均一又は略均一に締付けることができる。したがって、本変形例におけるカフ２０を用いることにより、正確に血圧情報を測定することができる。
【００６５】
図１３は、本実施形態におけるカフ２０の別の変形例である。図１３によると、本変形例におけるカフ２０は、複数の第３の保持部１３０と、第１の部位に少なくとも一つの第４の保持部を有する。図１３に示すカフ２０は、複数の第３の保持部として、第３の保持部１３０から第３の保持部１３３の各々を有する。第３の保持部１３０から第３の保持部１３３は、各々第１の方向に沿って離間して設けられる。また、図１３に示すカフ２０は、第４の保持部として、第４の保持部１４０及び第４の保持部１４１を有する。第４の保持部は、第１の方向に関して第１の保持部１１０と第２の保持部１２０との間に設けられる。第４の保持部１４０及び第４の保持部１４１の各々は、第１の方向に沿って設けられることができる。
【００６６】
なお、第１の保持部１１０及び第３の保持部１３０は、カフ２０を被測定部位に締付けた場合に、第１の保持部１１０と第３の保持部１３０との間で締付部材１０３が第２の方向に沿うように配置されることができる。また、第２の保持部１２０及び第３の保持部１３３は、カフ２０を被測定部位に締付けた場合に、第２の保持部１２０と第３の保持部１３３との間で締付部材１０３が第２の方向に沿うように配置されることができる。同様に、第３の保持部１３１及び第４の保持部１４０は、カフ２０を被測定部位に締付けた場合に、第３の保持部１３１と第４の保持部１４０との間で締付部材１０３が第２の方向に沿うように配置されることができる。更に、第３の保持部１３２及び第４の保持部１４１は、カフ２０を被測定部位に締付けた場合に、第３の保持部１３２と第４の保持部１４１との間で締付部材１０３が第２の方向に沿うように配置されることができる。
【００６７】
このような構成とすることで、本変形例におけるカフ２０は、より多様な被測定部位の形状に適合することができる。そのため、本変形例におけるカフ２０は、被測定部位を均一又は略均一に締付けることができる。したがって、本変形例におけるカフ２０を用いることにより、正確に血圧情報を測定することができる。
【００６８】
なお、本実施形態におけるカフ２０の各変形例に示す構成は、互いに組み合わせて用いることができる。また、本実施形態におけるカフ２０の各変形例に示す構成は、必要に応じて本発明の第１の実施形態におけるカフ１０にも適用することができる。
（第３の実施形態）
次に、本発明の第３の実施形態について説明する。図１４は、本発明の第３の実施形態におけるカフの構成を示す図である。図１５は、本発明の第３の実施形態におけるカフの変形例の構成を示す図である。図１６は、本発明の第３の実施形態におけるカフの変形例の構成を示す図である。
【００６９】
図１４に示すとおり、本発明の第３の実施形態におけるカフ３０は、本体１００と、第１の保持部１１０と、第２の保持部１２０と、第３の保持部１３０と、締付部材１０３と、締付調整部１０４とを有する。第１の保持部１１０及び第２の保持部１２０は、本体１００の第１の部位１０１に設けられる。第３の保持部１３０は、本体１００の第１の部位１０１と異なる第２の部位１０２に設けられる。締付部材１０３は、第３の部位１３０を介して第１の保持部１１０と第２の保持部１２０との間を接続することにより、本体１００を被測定部位に締付けるように設けられる。そして、締付調整部１０４は、第３の保持部１３０に設けられ、締付部材１０３による締付程度を調整する。
【００７０】
すなわち、本発明の第３の実施形態におけるカフ３０は、締付調整部１０４が第３の保持部１３０に設けられている点が、第２の実施形態におけるカフ２０と異なる。これ以外の要素については、本発明の第３の実施形態におけるカフ２０は、第２の実施形態におけるカフ３０と同様の構成を有している。
【００７１】
本実施形態において、締付調整部１０４は、第２の実施形態における締付調整部１０４と同様の構成とすることができる。すなわち、締付調整部１０４は、図９に例示する通り、図９（Ａ）に示す回転方式、図９（Ｂ）に示すスライド方式、又は図９（Ｃ）に示す引張方式のような構成とすることができる。
【００７２】
なお、締付調整部１０４の具体的な構成は、本発明の第２の実施形態における締付調整部１０４と同様に、上述したものに限られない。すなわち、締付調整部１０４は、締付部材１０３による本体１００の締付程度を調整できるのであれば、任意の構成とすることができる。また、締付調整部１０４は、締付力がほぼ均一又は略均一となる状態からは、締付程度を弱める方向への調整のみが可能となり、更に締付程度を強くする方向への調整を行えないようにする構成とすることができる。
【００７３】
以上の通り、本実施形態におけるカフ３０は、第３の保持部１３０に締付調整部１０４を有する。そして、締付調整部１０４により締付部材１０３による締付程度を調整されることから、カフ３０を被測定部位に巻き付ける際に、被測定部位の形状に適した締付程度とすることができる。そのため、本実施形態におけるカフ３０は、第１の実施形態におけるカフ１０と比較すると、より多様な形状の被測定部位に対して、均一又は略均一に被測定部位を圧迫することができる。したがって、本実施形態におけるカフ３０を用いることにより、より正確に血圧情報を測定することができる。
（第３の実施形態の変形例）
本実施形態におけるカフ３０に対しては、種々の変形を施すことが可能である。いくつかの変形例について以下に説明する。
【００７４】
図１５は、本実施形態におけるカフ３０の変形例の一つである。図１５によると、本変形例におけるカフ３０は、複数の第３の保持部を更に有する。より具体的には、図１５に示すカフ３０は、複数の第３の保持部として、第３の保持部１３０から第３の保持部１３２の各々を有する。そして、第３の保持部１３１は、被測定部位に巻き付けられた場合に第１の保持部１１０と対向する位置に設けられることができる。また、第３の保持部１３２は、被測定部位に巻き付けられた場合に第２の保持部１２０と対向する位置に設けられることができる。
【００７５】
すなわち、第１の保持部１１０及び第３の保持部１３１は、カフ３０を被測定部位に締付けた場合に、第１の保持部１１０と第３の保持部１３１との間で締付部材１０３が第２の方向に沿うように配置されることができる。また、第２の保持部１２０及び第３の保持部１３２は、カフ３０を被測定部位に締付けた場合に、第２の保持部１２０と第３の保持部１３２との間で締付部材１０３が第２の方向に沿うように配置されることができる。なお、この場合において、締付調整部１０４は、第３の保持部１３０に設けられる。
【００７６】
このように、より多くの保持部を設ける構成とすることで、本変形例におけるカフ２０は、より多様な被測定部位の形状に適合することができる。そのため、本変形例におけるカフ３０は、被測定部位を均一又は略均一に締付けることができる。したがって、本変形例におけるカフ３０をもちいることにより、正確に血圧情報を測定することができる。
【００７７】
図１６は、本実施形態におけるカフ３０の別の変形例である。図１６によると、本変形例におけるカフ３０は、更に第１の部位１０１に少なくとも一つの第４の保持部１４０を有する。そして、締付部材１０３は、第３の保持部１３０を介して第１の保持部１１０と第２の保持部１２０との間を接続し、かつ、第３の保持部１３０と第４の保持部１４０の間を接続する。
【００７８】
なお、この変形例において、第３の保持部を複数設けることができる。より具体的には、図１６に示すカフ３０は、複数の第３の保持部として、第３の保持部１３０から第３の保持部１３２の各々を有する。
【００７９】
なお、第３の保持部１３０及び第４の保持部１４０は、カフ３０を被測定部位に締付けた場合に、第３の保持部１３０と第４の保持部１４１との間で締付部材１０３が第２の方向に沿うように配置されることができる。また、第１の保持部１１０及び第３の保持部１３１は、カフ３０を被測定部位に締付けた場合に、第１の保持部１１０と第３の保持部１３１との間で締付部材１０３が第２の方向に沿うように配置されることができる。更に、第２の保持部１２０及び第３の保持部１３２は、カフ２０を被測定部位に締付けた場合に、第２の保持部１２０と第３の保持部１３２との間で締付部材１０３が第２の方向に沿うように配置されることができる。
【００８０】
このような構成とすることで、本変形例におけるカフ３０は、より多様な被測定部位の形状に適合することができる。そのため、本変形例におけるカフ２０は、被測定部位を均一又は略均一に締付けることができる。したがって、本変形例におけるカフ２０を用いることにより、正確に血圧情報を測定することができる。
【００８１】
なお、本実施形態におけるカフ３０の各変形例に示す構成は、必要に応じて本発明の第１の実施形態におけるカフ１０又は第２の実施形態におけるカフ３０にも適用することができる。更に、第２の実施形態におけるカフ３０の変形例として説明した構成は、本実施形態におけるカフ３０に適用することもできる。例えば、第３の実施形態の変形例として、第２の実施形態において図１１を用いて示したように、複数の第４の保持部を第２の方向に沿って隣接して設けることができる。
（第４の実施形態）
次に、本発明の第４の実施形態について説明する。図１７は、本発明の第１の実施形態における血圧測定装置１の構成を示すブロック図である。
【００８２】
図１７に示す通り、本実施形態における血圧測定装置１は、本発明の各実施形態におけるカフ１０を有する。
【００８３】
より具体的には、本実施形態における血圧測定装置１は、カフ１０と、カフに設けられる圧迫袋１１と、圧力計測部１２と、圧力制御部１３と、血圧推定部１４とを有する。圧力計測部１２は、圧迫袋１１の内部の圧力を計測する。圧力制御部１３は、圧迫袋１１の内部の圧力を制御する。血圧推定部１４は、圧力計測部１２及び圧力制御部１３の結果に基づいて、被測定者の血圧情報を推定する。血圧測定装置１は、更に血圧推定部１４に指示情報を入力する入力部１５と、血圧推定部１４にて推定した結果等を表示する表示部１６とを有する構成とすることができる。
【００８４】
圧迫袋１１は、内部に流体（気体、ゲル又は液体等）を封入できる構造を有する。圧迫袋１１は、内部に流体を封入することで、被測定部位に圧力を加えるために用いられる。圧迫袋１１は、一つの袋を有してもよいし、ゲルを封入するゲル袋と気体を封入される空気袋の組合せ等、複数の袋を有してもよい。また、圧迫袋１１に封入される流体の量を調整するために、圧迫袋１１は、図示しない弁を有する場合がある。なお、圧迫袋１１は、本体１００に取り付けられる。例えば、圧迫袋１１は、本体１００の生体に対向する面（筒状に丸められて被測定部位に取り付けられた場合に内側となる面）に取り付けられる。
【００８５】
圧力計測部１２は、圧迫袋１１の内部の圧力を計測する。一例として、圧力計測部１１は、測定した圧力を離散化することにより、デジタル信号に変換（ａｎａｌｏｇ  ｄｉｇｉｔａｌ変換、以降「Ａ／Ｄ変換」とする）する。そして、圧力計測部１１は、変換したデジタル信号を圧力信号として送信する。なお、圧力計測部１１は、Ａ／Ｄ変換の際に、特定の周波数を抽出するフィルタ等を用いることにより、圧力信号の一部を抽出することができる。また、圧力計測部１１は、圧力信号を、増幅器等を用いることにより、所定の振幅に増幅することができる。
【００８６】
圧力制御部１３は、圧迫袋１１の内部の圧力を制御する。動作の一例として、圧力制御部１３は、圧力計測部１２から送信された圧力信号を参照して、圧迫袋１０に封入する流体の量を制御する。より具体的には、圧力制御部１３は、圧迫袋１０に封入する流体を送るポンプ（非図示）や、圧迫袋１１の弁の動作を制御する。圧迫袋１１の内部の圧力を制御することで、圧力制御部１３は、被測定部位に加える圧力を制御する。
【００８７】
血圧推定部１４は、圧力計測部１２から送信された圧力信号に基づいて、血圧情報を推定する。血圧推定部１４は、血圧情報を推定する処理として公知の手法を用いることができる。公知の手法としては、例えばオシロメトリック法又はコロトコフ法等により収縮期血圧及び拡張期血圧を決定する方法がある。本実施形態においては、各々の詳細な説明は省略する。なお、血圧推定部１４は、血圧情報を推定する場合に圧力制御部１２に対して制御内容を指示する制御信号を送信してもよい。
【００８８】
血圧測定装置１が入力部１５を有する場合、入力部１５は、例えば、測定を開始する測定開始ボタン、電源ボタン、及び測定開始後に測定を中止する測定中止ボタンを有する。また、表示部１６を有する場合、入力部１５は、表示部１６が表示する項目を選択する場合に用いられる選択ボタン等（いずれも不図示）を更に有することができる。血圧測定装置１は、例えば被測定者が入力部１５を操作することにより、測定を開始する。
【００８９】
また、血圧測定装置１が表示部１６を有する場合、表示部１６は、例えば、血圧推定部１４が推定した血圧情報を表示する。表示部１６は、例えばＬＣＤ（Ｌｉｑｕｉｄ  Ｃｒｙｓｔａｌ  Ｄｉｓｐｌａｙ）、ＯＬＥＤ（Ｏｒｇａｎｉｃ  ｌｉｇｈｔ−ｅｍｉｔｔｉｎｇ  ｄｉｏｄｅ）、または、電子ペーパー等を有する。表示部１６が電子ペーパーを有する場合、電子ペーパーは、マイクロカプセル方式、電子粉瘤方式、コレステリック液晶方式、電気泳動法式又はエレクトロウェッティング方式等により実現可能である。
【００９０】
なお、本実施形態におけるカフ１０は、本発明の第１の実施形態におけるカフ１０に限られない。本実施形態におけるカフ１０として、本発明の各実施形態又はその変形例として示されている任意のカフを用いることができる。
【００９１】
本実施形態における血圧測定装置１は、圧力計測部１１、圧力制御部１２及び血圧推定部１３が、通信ネットワークを介して接続される構成としてもよい。この場合において、制御信号や圧力信号等は、通信ネットワークを介して送受信される。また、本実施形態における血圧測定装置１が入力部１５及び表示部１６を有する場合、これらの構成要素が他の構成要素と任意の通信ネットワークを介して接続される構成とすることができる。
【００９２】
また、本実施形態における血圧測定装置１は、図１８に示す通り、圧力計測部１２を、圧迫袋１１の内部の圧力以外の圧力を計測する構成としてもよい。例えば、圧力計測部１２は、被測定部位に加わる圧迫圧力を計測する構成とすることができる。この場合において、圧力計測部１２は、センシング袋（不図示）に接続するなどして、圧迫袋１１の生体に対向する面に取り付けられる。なお、センシング袋は、圧迫袋１１に比べて第２の方向において短い構造の袋であり、被測定部位を限定して圧迫脈波を取得することができる。したがって、より正確に血圧情報を測定することができる。
【００９３】
以上、本発明における各実施形態を説明したが、本発明はその趣旨を逸脱しない限りにおいて以上述べた各実施形態における構成以外の構成を採用することもできる。また、各実施形態における構成は、本発明の趣旨を逸脱しない限りにおいて、互いに組み合わせることが可能である。
【００９４】
（付記１）
本体と、
前記本体の第１の部位に設けられる第１及び第２の保持部と、
前記本体の前記第１の部位と異なる第２の部位に設けられる第３の保持部と、
前記第３の保持部にて可動するように前記第３の保持部を介して前記第１の保持部と第２の保持部との間を接続することにより、前記本体を被測定部位に締付けるように設けられる締付部材とを有する、カフ。
【００９５】
（付記２）
前記第１又は第２の保持部の少なくとも一方に、前記締付部材による締付程度を調整可能な締付調整部が設けられている、付記１に記載のカフ。
【００９６】
（付記３）
前記第３の保持部に、前記締付部材による締付程度を調整する締付調整部が設けられている、付記１に記載のカフ。
【００９７】
（付記４）
複数の前記第３の保持部を有し、
前記複数の第３の保持部の少なくとも２つは、前記本体が前記被測定部位に巻き付けられた場合に前記被測定部位が沿在する方向に沿って離間して設けられている、付記１から３のいずれか一項に記載のカフ。
【００９８】
（付記５）
前記複数の第３の保持部の少なくとも１つは、前記本体が前記被測定部位に巻き付けられた場合に前記第１の保持部と対向する位置に設けられており、
前記少なくとも１つの複数の第３の保持部とは異なる少なくとも１つの前記第３の保持部のは、前記本体が前記被測定部位に巻き付けられた場合に前記第２の保持部と対向する位置に設けられている、付記４に記載のカフ。
【００９９】
（付記６）
前記第１の部位に、少なくとも１つの第４の保持部を有し、
前記第４の保持部は、前記本体が前記被測定部位に巻き付けられた場合に前記被測定部位が沿在する方向に対して前記第１の保持部と前記第２の保持部との間に設けられている、付記１から５のいずれか一項に記載のカフ。
【０１００】
（付記７）
前記第４の保持部の少なくとも１つは、前記本体が前記被測定部位に巻き付けられた場合に前記第３の保持部の１つと対向する位置に設けられている、付記６に記載のカフ。
【０１０１】
（付記８）
前記第１ないし第４の保持部の少なくとも１つは、前記本体が前記被測定部位に巻き付けられた場合に前記被測定部位が沿在する方向と交わる方向に沿って隣接して複数設けられている、付記１から７のいずれか一項に記載のカフ。
【０１０２】
（付記９）
前記第１の部位は、前記本体の前記第２の方向における一つの端部であり、
前記第２の部位は、前記本体の前記第１の部位と反対側の端部である、付記１から８のいずれか一項に記載のカフ。
【０１０３】
（付記１０）
前記締付調整部は、前記締付程度を調整可能なダイヤルを含む、付記２から９のいずれか一項に記載のカフ。
【０１０４】
（付記１１）
前記締付調整部は、前記締付程度を調整可能なスライド機構を有する、付記２から９のいずれか一項に記載のカフ。
【０１０５】
（付記１２）
前記締付調整部は、前記締付程度を調整可能な固定部を有する、付記２から９のいずれか一項に記載のカフ。
【０１０６】
（付記１３）
付記１から１２までのいずれか一項に記載のカフを有する、血圧測定装置。
【符号の説明】
【０１０７】
１    血圧測定装置
１０    カフ
１１    圧迫袋
１２    圧力計測部
１３    圧力制御部
１４    血圧推定部
１５    入力部
１６    表示部
１００    本体
１０１    第１の部位
１０２    第２の部位
１０３    締付部材
１０４    締付調整部
１１０    第１の保持部
１２０    第２の保持部
１３０、１３１、１３２、１３３    第３の保持部
１４０、１４１    第４の保持部
１５０    ダイヤル
１６０    スライド機構
１７０    固定部
１７１    引張部
１８０    センサ
【図１】
2015217099.tif 000003
【図２】
2015217099.tif 000004
【図３】
2015217099.tif 000005
【図４】
2015217099.tif 000006
【図５】
2015217099.tif 000007
【図６】
2015217099.tif 000008
【図７】
2015217099.tif 000009
【図８】
2015217099.tif 000010
【図９】
2015217099.tif 000011
【図１０】
2015217099.tif 000012
【図１１】
2015217099.tif 000013
【図１２】
2015217099.tif 000014
【図１３】
2015217099.tif 000015
【図１４】
2015217099.tif 000016
【図１５】
2015217099.tif 000017
【図１６】
2015217099.tif 000018
【図１７】
2015217099.tif 000019
【図１８】
2015217099.tif 000020